(57)【要約】【課題】記録媒体に記録されたコンテンツの再生を確実に制限することを可能とする。【解決手段】複数のコンテンツをそれぞれ再生するための複数の実データが記録された記録媒体１１と、複数のコンテンツの再生にそれぞれ必要な複数の再生制御情報のうち、少なくとも１の再生制御情報が記録された、記録媒体１１以外の情報源１２と、情報源１２から再生制御情報を取得する取得手段６１と、取得された再生制御情報に基づいて、記録媒体１１からコンテンツを再生する再生手段６１，６２とを有する再生装置１３とを備えた。【選択図】図４
2008050413.tif 000002
【特許請求の範囲】
【請求項１】
コンテンツを再生するための実データが記録された記録媒体から、前記コンテンツを再生する再生手段と、
前記コンテンツの再生に必要な再生制御情報を、前記記録媒体以外の情報源から取得する取得手段と、を備え、
前記再生手段は、前記再生制御情報に基づいて、前記コンテンツを再生することを特徴とする再生装置。
【請求項２】
前記再生制御情報には、前記実データを管理するための論理情報、および前記記録媒体のファイル構造を解析するためのファイルシステム情報、の少なくとも一方の情報が含まれることを特徴とする請求項１に記載の再生装置。
【請求項３】
前記記録媒体には、複数の前記コンテンツをそれぞれ再生するための複数の前記実データが記録されており、
前記情報源には、前記複数のコンテンツの再生にそれぞれ必要な複数の前記再生制御情報のうち、少なくとも１の再生制御情報が記憶されていることを特徴とする請求項１に記載の再生装置。
【請求項４】
前記記録媒体に記録された前記複数のコンテンツのうち、ユーザの指示に基づいて、再生するコンテンツを選択する選択手段と、
選択された前記コンテンツを再生するための選択対象再生制御情報が、取得された前記再生制御情報に含まれているか否かを判別する判別手段と、
前記選択対象再生制御情報が含まれていないと判別された場合に、その旨をユーザに報知する報知手段と、
をさらに備えたことを特徴とする請求項３に記載の再生装置。
【請求項５】
前記情報源には、前記再生制御情報の有効期限を示す期限情報が記憶されており、
前記取得手段は、前記期限情報を、前記再生制御情報と併せて取得し、
前記期限情報に基づいて、取得された前記再生制御情報が前記有効期限内であるか否かを判定する期限判定手段を、さらに備え、
前記再生手段は、前記再生制御情報が前記有効期限外であると判断された場合に、前記コンテンツを再生しないことを特徴とする請求項１に記載の再生装置。
【請求項６】
複数のコンテンツをそれぞれ再生するための複数の実データが記録された記録媒体と、
前記複数のコンテンツの再生にそれぞれ必要な複数の再生制御情報のうち、少なくとも１の再生制御情報が記録された、前記記録媒体以外の情報源と、
前記情報源から前記再生制御情報を取得する取得手段と、取得された前記再生制御情報に基づいて、前記記録媒体から前記コンテンツを再生する再生手段と、を有する再生装置と、
を備えたことを特徴とする再生システム。
【発明の詳細な説明】
【技術分野】
【０００１】
本発明は、画像、音声等のコンテンツを記録した光ディスク等の記録媒体から情報を再生するための再生装置および再生システムに関するものである。
【背景技術】
【０００２】
従来、この種の再生装置において、ＤＶＤ等の記録媒体に記録されたコンテンツの再生を制限する技術として、ＣＳＳ（コンテント・スクランブル・システム）に代表されるように、情報を暗号化して記録することが行われている（例えば、特許文献１参照）。
【特許文献１】特開平１０−６９７５５号公報
【発明の開示】
【発明が解決しようとする課題】
【０００３】
しかしながら、従来のＣＳＳのような暗号化技術は、基本的には情報処理・演算処理のみに依拠しているため、暗号が解かれてしまうおそれがある。すなわち、暗号化技術は、保護すべき情報に対して、所定の鍵を用い、かつ所定のアルゴリズムに従って情報処理・演算処理を行うものであるから、鍵とアルゴリズムが知られてしまえば、暗号を解くことが可能となってしまうのである。このため、暗号化技術によっては、記録媒体に記録されたコンテンツの再生を確実に制限することができなかった。【０００４】
本発明は、記録媒体に記録されたコンテンツの再生を確実に制限することを可能とする再生装置および再生システムを提供することを課題としている。
【課題を解決するための手段】
【０００５】
本発明の再生装置は、コンテンツを再生するための実データが記録された記録媒体から、コンテンツを再生する再生手段と、コンテンツの再生に必要な再生制御情報を、記録媒体以外の情報源から取得する取得手段と、を備え、再生手段は、再生制御情報に基づいて、コンテンツを再生することを特徴とする。【０００６】
この場合、再生制御情報には、実データを管理するための論理情報、および記録媒体のファイル構造を解析するためのファイルシステム情報、の少なくとも一方の情報が含まれることが好ましい。【０００７】
この構成によれば、取得手段が情報源から再生制御情報を取得することで、コンテンツの再生が可能となる。換言すれば、情報源に再生制御情報を取得可能に記憶しておかない限り、再生手段がコンテンツを再生することができない。したがって、情報源に再生制御情報を取得可能に記憶しておかないようにすることで、記録媒体に記録されたコンテンツの再生を確実に制限することが可能となる。
なお、情報源としては、再生装置に装填可能な光ディスク、磁気ディスクや半導体メモリ（メモリカード）のほか、再生装置に通信ネットワークを介して接続されたＷｅｂサーバを例示することができる。【０００８】
この場合、記録媒体には、複数のコンテンツをそれぞれ再生するための複数の実データが記録されており、情報源には、複数のコンテンツの再生にそれぞれ必要な複数の再生制御情報のうち、少なくとも１の再生制御情報が記憶されていることが好ましい。【０００９】
この構成によれば、記録媒体に記録された複数のコンテンツのうち、対応する再生制御情報が情報源に取得可能に記憶されたコンテンツのみ、再生が可能となる。したがって、情報源に、複数の再生制御情報のうち一部のみを取得可能に記憶しておくことで、複数のコンテンツのうち、当該一部のコンテンツの再生を可能とすると共に、残りのコンテンツの再生を確実に制限することができる。【００１０】
この場合、記録媒体に記録された複数のコンテンツのうち、ユーザの指示に基づいて、再生するコンテンツを選択する選択手段と、選択されたコンテンツを再生するための選択対象再生制御情報が、取得された再生制御情報に含まれているか否かを判別する判別手段と、選択対象再生制御情報が含まれていないと判別された場合に、その旨をユーザに報知する報知手段と、をさらに備えたことが好ましい。【００１１】
この構成によれば、ユーザが再生を所望するコンテンツの再生に必要な再生制御情報を、情報源から取得可能に記憶した状態にするための措置を行うよう、ユーザに促すことができる。【００１２】
この場合、情報源には、再生制御情報の有効期限を示す期限情報が記憶されており、取得手段は、期限情報を、再生制御情報と併せて取得し、期限情報に基づいて、取得された再生制御情報が有効期限内であるか否かを判定する期限判定手段を、さらに備え、再生手段は、再生制御情報が有効期限外であると判断された場合に、コンテンツを再生しないことが好ましい。【００１３】
この構成によれば、期限情報により再生制御情報の有効期限を設定することで、コンテンツの再生可能期限を容易に設定することができる。【００１４】
本発明の再生システムは、複数のコンテンツをそれぞれ再生するための複数の実データが記録された記録媒体と、複数のコンテンツの再生にそれぞれ必要な複数の再生制御情報のうち、少なくとも１の再生制御情報が記録された、記録媒体以外の情報源と、情報源から再生制御情報を取得する取得手段と、取得された再生制御情報に基づいて、記録媒体からコンテンツを再生する再生手段と、を有する再生装置と、を備えたことを特徴とする。【００１５】
この構成によれば、記録媒体に記録された複数のコンテンツのうち、対応する再生制御情報が情報源に取得可能に記憶されたコンテンツのみ、再生が可能となる。したがって、複数の再生制御情報のうち一部のみを取得可能に記憶した情報源を用いることで、複数のコンテンツのうち、当該一部のコンテンツの再生を可能とすると共に、残りのコンテンツの再生を確実に制限することができる。
【図面の簡単な説明】
【００１６】
【図１】本発明の一実施形態に係る再生システムの構成を示す図である。
【図２】再生システムの第１ＤＶＤおよび第２ＤＶＤのいずれかに記録されるデータのファイル構造を示す図である。
【図３】第１ＤＶＤに記録するデータと、第２ＤＶＤに記録するデータとの組合せパターンを示す図である。
【図４】再生システムのブロック図である。
【図５】再生システムにおける一連の再生処理を示すフローチャートである。
【符号の説明】
【００１７】
１０…再生システム  １１…第１ＤＶＤ  １２…第２ＤＶＤ  １３…ＤＶＤプレーヤー  ６１…読取部  ６２…再生処理部  ６４…システム制御部  ６５…表示部
【発明を実施するための最良の形態】
【００１８】
以下、添付の図面を参照して、本発明の一実施形態について説明する。本実施形態に係る再生システムは、ＤＶＤに記録された映像や音声等の複数のタイトル（コンテンツ）のうち、ユーザが購入したタイトルのみを再生可能とするものである。【００１９】
図１に示すように、再生システム１０は、第１ＤＶＤ１１（例えばＤＶＤビデオ）と、第２ＤＶＤ１２（例えばＤＶＤ−ＲＷ）と、第１ＤＶＤ１１および第２ＤＶＤ１２を読み取るＤＶＤプレーヤー１３（再生装置）と、再生した映像を表示する出力モニター１４とで構成されている。【００２０】
第１ＤＶＤ１１には、複数のタイトルをそれぞれ再生するための複数の実データが、ＤＶＤプレーヤー１３により読み取り可能に記録（格納）されている。すなわち、シリーズものの映画の全タイトル（例えば第１話〜最終第９話）をそれぞれ再生するための複数（９タイトル分）の実データが記録されている。この第１ＤＶＤ１１が、請求の範囲における「記録媒体」に相当する。【００２１】
第２ＤＶＤ１２には、複数のタイトルの再生にそれぞれ必要な複数の再生制御情報のうち、少なくとも１の再生制御情報が、ＤＶＤプレーヤー１３により読み取り可能に記録（格納）されている。すなわち、上記の映画の全体タイトルの再生にそれぞれ必要な複数（９タイトル分）の再生制御情報のうち、ユーザが購入したもの（例えば、タイトル＃１およびタイトル＃９）に対応する再生制御情報が記録されている。この第２ＤＶＤ１２が、請求の範囲における「情報源」に相当する。【００２２】
図２は、第１ＤＶＤ１１および第２ＤＶＤ１２のいずれかに記録されるデータのファイル構造を示す図である。Ｒｏｏｔディレクトリ２１の下にＶＩＤＥＯ＿ＴＳディレクトリ３１があり、さらその下に、ＶＭＧ（Video Manager）と、９個のＶＴＳ（Video Title Set）（ＶＴＳ１〜ＶＴＳ９）とが格納されている。ＶＭＧがディスク全体の管理情報であり、各ＶＴＳが１つのタイトルに相当している。【００２３】
ＶＭＧは、ＶＩＤＥＯ＿ＴＳ．ＩＦＯ４１、ＶＩＤＥＯ＿ＴＳ．ＶＯＢ４２、およびＶＩＤＥＯ＿ＴＳ．ＢＵＰ４３という、それぞれ１つのファイル（計３つ）から成っている。ＶＩＤＥＯ＿ＴＳ．ＩＦＯ４１は、ディスク全体のコントロール情報である。ＶＩＤＥＯ＿ＴＳ．ＶＯＢ４２は、タイトル選択メニューのためのコンテンツである。ＶＩＤＥＯ＿ＴＳ．ＢＵＰ４３は、ＶＩＤＥＯ＿ＴＳ．ＩＦＯ４１のバックアップファイルである。【００２４】
各ＶＴＳは、ＶＴＳ＿＃＃＿０．ＩＦＯ、ＶＴＳ＿＃＃＿＠．ＶＯＢ、およびＶＴＳ＿＃＃＿０．ＢＵＰというファイルから成っている。例えば、ＶＴＳ＿０１＿０．ＩＦＯ５１は、タイトル＃１のコントロール情報である。ＶＴＳ＿０１＿＠．ＶＯＢ５２は、タイトル＃１の実データである。ＶＴＳ＿０１＿０．ＢＵＰ５３は、ＶＴＳ＿０１＿０．ＩＦＯ５１のバックアップファイルである。なお、＃＃は０１〜０９の整数を、＠は１〜９の整数をそれぞれとり得るが、ここでは、＃＃は０１〜０９である。【００２５】
ここで、各タイトルを再生するために必要な実データは、ＶＴＳ＿＃＃＿＠．ＶＯＢであり、その実データを管理する論理情報は、ＶＩＤＥＯ＿ＴＳ．ＩＦＯ４１（全体タイトル共通）、およびＶＴＳ＿＃＃＿０．ＩＦＯである。【００２６】
さらに、第１ＤＶＤ１１および第２ＤＶＤ１２のいずれかには、上記のファイル構造を解析するためのファイルシステム情報が記録されている。ＤＶＤビデオ等のディスクメディアでは、ファイルシステムは、ＩＳＯ１３３４６規格に準拠したＵＤＦ（Universal Disk Format）が一般的に使用されている。【００２７】
図３は、第１ＤＶＤ１１に記録するデータと、第２ＤＶＤ１２に記録するデータとの組合せパターンを示す図である。同図に示すように、論理情報およびファイルシステム情報の少なくとも一方の情報が、第２ＤＶＤ１２に記録されているようにすればよい。例えば、パターンＣの場合、ユーザが購入したものがタイトル＃１およびタイトル＃９であれば、第１ＤＶＤ１１には、再生用の全実データ、すなわちＶＴＳ＿０１＿＠．ＶＯＢ５２ないしＶＴＳ＿０９＿＠．ＶＯＢ６２を記録しておき、他方、第２ＤＶＤ１２には、タイトル＃１およびタイトル＃９の再生に必要な再生制御情報、すなわちＶＭＧ、ＶＴＳ１およびＶＴＳ９のファイルシステム情報と、その論理構造（ＶＩＤＥＯ＿ＴＳ．ＩＦＯ４１、ＶＴＳ＿０１＿０．ＩＦＯ５１およびＶＴＳ＿０９＿０．ＩＦＯ６１）を記録しておく。なお、暗号化情報であるタイトルキーについても、購入したタイトルのみ、第２ＤＶＤ１２に記録されている。【００２８】
図４は、再生システム１０のブロック図である。再生システム１０は、機能的には、ＤＶＤプレーヤー１３を構成する読取部６１、再生処理部６２およびシステム制御部６４と、出力モニター１３を構成する表示部６５とを備えている。【００２９】
読取部６１は、第１ＤＶＤ１１および第２ＤＶＤ１２からデータを読み取るものである。すなわち、第１ＤＶＤ１１および第２ＤＶＤ１２をそれぞれ回転させるスピンドルモータ、データ読み出しのためのピックアップ、これを移動させるトラッキングモータ、および各モータを制御するサーボシステム等で構成されている。【００３０】
再生処理部６２は、読み取られたデータの復調、タイトルキーによる暗号解読、およびＭＰＥＧ等で圧縮されたデータのデコーダ等を行っている。そして、デコードされた映像信号が、表示部６５に出力される。システム制御部６４は、例えばＣＰＵで構成されており、システム全体の管理および制御を司っている。【００３１】
なお、請求の範囲における再生手段は、主に読取部６１および再生処理部６２により構成され、取得手段は、主に読取部６１により構成され、選択手段は、主にシステム制御部６４および表示部６５により構成され、判別手段は、主にシステム制御部６４により構成され、報知手段は、主に表示部６５により構成されている。【００３２】
図５は、再生システム１０における一連の再生処理を示すフローチャートである。まず、ユーザにより、第２ＤＶＤ１２がＤＶＤプレーヤー１３に装填（ローディング）されると（Ｓ１１）、読取部６１は、再生制御情報を読み取る（Ｓ１２）。これにより、タイトル＃１およびタイトル＃９の再生に必要な再生制御情報を取得する。その後、ユーザにより、第２ＤＶＤ１２に代えて第１ＤＶＤ１１が装填（ローディング）される（Ｓ１３）。続いて、表示部６５は、選択メニューを表示する（Ｓ１４）。システム制御部６４は、この選択メニュー上で、ユーザの指示に基づいて、再生するタイトルを選択する（Ｓ１５）。【００３３】
次に、システム制御部６４は、選択されたタイトルを再生するための再生制御情報（選択対象制御情報）が、取得された再生制御情報に含まれているか否かを判別する（Ｓ１６）。例えば、ユーザにより、タイトル＃１の再生が指示された場合には、その再生制御情報が、取得された再生制御情報に含まれていると判断し（Ｓ１６；Ｙｅｓ）、取得されたタイトル＃１の再生制御情報およびタイトルキーに基づいて、再生処理部６２が、復調、暗号解読およびデコード等のデータ処理を行い、再生を開始する（Ｓ１７）。また、ユーザにより、タイトル＃２の再生が指示された場合には、その再生制御情報が、取得された再生制御情報に含まれていないと判断し（Ｓ１６；Ｎｏ）、表示部６５は、タイトル＃２は購入されていない旨の警告を表示する（Ｓ１８）。【００３４】
以上のように、本実施形態の再生システム１０によれば、第１ＤＶＤ１１に記録された９タイトルのうち、対応する再生制御情報が第２ＤＶＤ１２に取得可能に記憶されたタイトル＃１およびタイトル＃９のみ、再生が可能となる。したがって、９タイトル分の再生制御情報のうち、タイトル＃１およびタイトル＃９にそれぞれ対応する再生制御情報のみを取得可能に記憶した第２ＤＶＤ１２を用いることで、９タイトルのうち、タイトル＃１およびタイトル＃９の再生を可能とすると共に、残りのタイトル＃２〜タイトル＃８の再生を確実に制限することができる。【００３５】
また、再生制御情報に有効期限を設定するようにしてもよい。すなわち、第２ＤＶＤ１２には、再生制御情報の有効期限を示す期限情報が記録されている。そして、読取部６１は、その期限情報を、再生制御情報と併せて取得する。システム制御部６４（期限判定部）は、期限情報に基づいて、再生制御情報が、有効期限内であるか否かを判定する。そして、再生制御情報が有効期限外であると判断された場合には、再生処理部６２は、タイトルを再生しないようにする。なお、有効期限は、タイトル毎（コンテンツ毎）に設定してもよい。【００３６】
この再生システム１０は、ビデオレンタルシステムに応用することができる。例えば、顧客がレンタルショップに行き、シリーズものの映画の全体タイトルのうち、まずは第１話のみを借りることにしたとする。レンタルショップは、その顧客に対し、シリーズものの映画の全体タイトルの実データが記録された第１ＤＶＤ１１を顧客に渡すと共に、顧客が持参した（あるいはショップ所有の）第２ＤＶＤ１２に対し、全タイトル分の再生制御情報のうちの第１話（タイトル＃１）の再生制御情報のみを記録し、これを顧客に渡す。顧客は、自宅のＤＶＤプレーヤー１３により、第１話のみを視聴することができる。そして、顧客が、引き続き第２話も借りたくなった場合には、再びレンタルショップに行き、第２ＤＶＤ１２に第２話の再生制御情報を記録してもらう。つまり、第２ＤＶＤ１２をアップデートする。このため、第２ＤＶＤ１２は、記録書換可能型のものが好ましい。【００３７】
特にこのビデオレンタルシステムにおいては、上述したように、再生制御情報の有効期限（例えば３日間）を設定しておくことが好ましい。これによれば、顧客に対し、第１ＤＶＤ１１および第２ＤＶＤ１２の返却を促すことができる。【００３８】
また、本実施形態では、再生制御情報が読取り可能に記憶される情報源として、第２ＤＶＤ１２を用いたが、メモリカード等の他の記録媒体を用いてもよい。さらに、インターネットを介してＷｅｂサーバから再生制御情報を取得（ダウンロード）するようにしてもよい。この場合、取得手段は、インターネット接続インターフェースにより構成される。【００３９】
さらに、再生対象となるコンテンツとしては、映画に限られるものではなく、例えば、百科事典の各記載項目であってもよい。すなわち、第１ＤＶＤ１１には、百科事典の全記載項目の実データを記録しておき、ユーザの指示（購入）に基づいて選択した記載項目の再生制御情報を、サーバからダウンロードするようにする。これによれば、ユーザは、再生したい記載項目についてのみ、再生制御情報を購入すればよい。つまり、百科事典全体を購入する必要がなく、安価に百科事典を利用することができる。
【図１】
2008050413.tif 000003
【図２】
2008050413.tif 000004
【図３】
2008050413.tif 000005
【図４】
2008050413.tif 000006
【図５】
2008050413.tif 000007
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
コンテンツを再生するための実データが記録された記録媒体から、前記コンテンツを再生する再生手段と、
前記記録媒体のファイル構造を解析するためのファイルシステム情報を、前記記録媒体以外の情報源から取得する取得手段と、を備え、
前記再生手段は、前記ファイルシステム情報に基づいて、前記コンテンツを再生することを特徴とする再生装置。
【請求項２】
（削除）
【請求項３】
前記記録媒体には、複数の前記コンテンツをそれぞれ再生するための複数の前記実データが記録されており、
前記情報源には、前記複数のコンテンツの再生にそれぞれ必要な複数の前記ファイルシステム情報のうち、少なくとも１のファイルシステム情報が記録されていることを特徴とする請求項１に記載の再生装置。
【請求項４】
前記記録媒体に記録された前記複数のコンテンツのうち、ユーザの指示に基づいて、再生するコンテンツを選択する選択手段と、
選択された前記コンテンツを再生するための選択対象ファイルシステム情報が、取得された前記ファイルシステム情報に含まれているか否かを判別する判別手段と、
前記選択対象ファイルシステム情報が含まれていないと判別された場合に、その旨をユーザに報知する報知手段と、
をさらに備えたことを特徴とする請求項３に記載の再生装置。
【請求項５】
前記情報源には、前記ファイルシステム情報の有効期限を示す期限情報が記憶されており、
前記取得手段は、前記期限情報を、前記ファイルシステム情報と併せて取得し、
前記期限情報に基づいて、取得された前記ファイルシステム情報が前記有効期限内であるか否かを判定する期限判定手段を、さらに備え、
前記再生手段は、前記ファイルシステム情報が前記有効期限外であると判断された場合に、前記コンテンツを再生しないことを特徴とする請求項１に記載の再生装置。
【請求項６】
複数のコンテンツをそれぞれ再生するための複数の実データが記録された記録媒体と、
前記複数のコンテンツの再生にそれぞれ必要な複数のファイルシステム情報のうち、少なくとも１のファイルシステム情報が記録された、前記記録媒体以外の情報源と、
前記情報源から前記ファイルシステム情報を取得する取得手段と、取得された前記ファイルシステム情報に基づいて、前記記録媒体から前記コンテンツを再生する再生手段と、を有する再生装置と、
を備えたことを特徴とする再生システム。
【請求項７】
前記コンテンツは、暗号化情報によって暗号化されており、
前記情報源には、前記暗号化情報が記憶されていることを特徴とする請求項１に記載の再生装置。
【手続補正３】
【補正対象書類名】明細書
【補正対象項目名】０００１
【補正方法】変更
【補正の内容】
【０００１】
技術分野
［０００１］
本発明は、画像、音声等のコンテンツを記録した光ディスク等の記録媒体から情報を再生するための再生装置および再生システムに関するものである。
背景技術
［０００２］
従来、この種の再生装置において、ＤＶＤ等の記録媒体に記録されたコンテンツの再生を制限する技術として、ＣＳＳ（コンテント・スクランブル・システム）に代表されるように、情報を暗号化して記録することが行われている（例えば、特許文献１参照）。
特許文献１：特開平１０−６９７５５号公報
発明の開示
発明が解決しようとする課題
［０００３］
しかしながら、従来のＣＳＳのような暗号化技術は、基本的には情報処理・演算処理のみに依拠しているため、暗号が解かれてしまうおそれがある。すなわち、暗号化技術は、保護すべき情報に対して、所定の鍵を用い、かつ所定のアルゴリズムに従って情報処理・演算処理を行うものであるから、鍵とアルゴリズムが知られてしまえば、暗号を解くことが可能となってしまうのである。このため、暗号化技術によっては、記録媒体に記録されたコンテンツの再生を確実に制限することができなかった。
［０００４］
本発明は、記録媒体に記録されたコンテンツの再生を確実に制限することを可能とする再生装置および再生システムを提供することを課題としている。
課題を解決するための手段
［０００５］
本発明の再生装置は、コンテンツを再生するための実データが記録された記録媒体から、コンテンツを再生する再生手段と、記録媒体のファイル構造を解析するためのファイルシステム情報を、記録媒体以外の情報源から取得する取得手段と、を備え、再生手段は、ファイルシステム情報に基づいて、コンテンツを再生することを特徴とする。
［０００６］
【手続補正４】
【補正対象書類名】明細書
【補正対象項目名】０００２
【補正方法】変更
【補正の内容】
【０００２】
［０００７］
この構成によれば、取得手段が情報源からファイルシステム情報を取得することで、コンテンツの再生が可能となる。換言すれば、情報源にファイルシステム情報を取得可能に記憶しておかない限り、再生手段がコンテンツを再生することができない。したがって、情報源にファイルシステム情報を取得可能に記憶しておかないようにすることで、記録媒体に記録されたコンテンツの再生を確実に制限することが可能となる。
なお、情報源としては、再生装置に装填可能な光ディスク、磁気ディスクや半導体メモリ（メモリカード）のほか、再生装置に通信ネットワークを介して接続されたＷｅｂサーバを例示することができる。
［０００８］
この場合、記録媒体には、複数のコンテンツをそれぞれ再生するための複数の実データが記録されており、情報源には、複数のコンテンツの再生にそれぞれ必要な複数のファイルシステム情報のうち、少なくとも１のファイルシステム情報が記憶されていることが好ましい。
［０００９］
この構成によれば、記録媒体に記録された複数のコンテンツのうち、対応するファイルシステム情報が情報源に取得可能に記憶されたコンテンツのみ、再生が可能となる。したがって、情報源に、複数のファイルシステム情報のうち一部のみを取得可能に記憶しておくことで、複数のコンテンツのうち、当該一部のコンテンツの再生を可能とすると共に、残りのコンテンツの再生を確実に制限することができる。
［００１０］
この場合、記録媒体に記録された複数のコンテンツのうち、ユーザの指示に基づいて、再生するコンテンツを選択する選択手段と、選択されたコンテンツを再生するための選択対象ファイルシステム情報が、取得されたファイルシステム情報に含まれているか否かを判別する判別手段と、選択対象ファイルシステム情報が含まれていないと判別された場合に、その旨をユーザに報知する報知手段と、をさらに備えたことが好ましい。
［００１１］
この構成によれば、ユーザが再生を所望するコンテンツの再生に必要なファイルシステム情報を、情報源から取得可能に記憶した状態にするための措置を行うよう、ユーザに促すことができる。
［００１２］
この場合、情報源には、ファイルシステム情報の有効期限を示す期限情報が記憶されており、取得手段は、期限情報を、ファイルシステム情報と併せて取得し、期限情報に基づい
【手続補正５】
【補正対象書類名】明細書
【補正対象項目名】０００３
【補正方法】変更
【補正の内容】
【０００３】
て、取得されたファイルシステム情報が有効期限内であるか否かを判定する期限判定手段を、さらに備え、再生手段は、ファイルシステム情報が有効期限外であると判断された場合に、コンテンツを再生しないことが好ましい。
［００１３］
この構成によれば、期限情報によりファイルシステム情報の有効期限を設定することで、コンテンツの再生可能期限を容易に設定することができる。
［００１４］
本発明の再生システムは、複数のコンテンツをそれぞれ再生するための複数の実データが記録された記録媒体と、複数のコンテンツの再生にそれぞれ必要な複数のファイルシステム情報のうち、少なくとも１のファイルシステム情報が記録された、記録媒体以外の情報源と、情報源からファイルシステム情報を取得する取得手段と、取得されたファイルシステム情報に基づいて、記録媒体からコンテンツを再生する再生手段と、を有する再生装置と、を備えたことを特徴とする。
［００１５］
この構成によれば、記録媒体に記録された複数のコンテンツのうち、対応するファイルシステム情報が情報源に取得可能に記憶されたコンテンツのみ、再生が可能となる。したがって、複数のファイルシステム情報のうち一部のみを取得可能に記憶した情報源を用いることで、複数のコンテンツのうち、当該一部のコンテンツの再生を可能とすると共に、残りのコンテンツの再生を確実に制限することができる。
なお、上記の再生装置において、コンテンツは、暗号化情報によって暗号化されており、情報源には、暗号化情報が記憶されていることが好ましい。
図面の簡単な説明
［００１６］
［図１］本発明の一実施形態に係る再生システムの構成を示す図である。
［図２］再生システムの第１ＤＶＤおよび第２ＤＶＤのいずれかに記録されるデータのファイル構造を示す図である。
［図３］第１ＤＶＤに記録するデータと、第２ＤＶＤに記録するデータとの組合せパターンを示す図である。
［図４］再生システムのブロック図である。
［図５］再生システムにおける一連の再生処理を示すフローチャートである。
符号の説明
［００１７］
１０…再生システム  １１…第１ＤＶＤ  １２…第２ＤＶＤ  １３…ＤＶＤプレーヤー  ６１…読取部  ６２…再生処理部  ６４…システム制御部  ６５…表示部
発明を実施するための最良の形態
【国際調査報告】
2008050413.tif 000008
2008050413.tif 000009
2008050413.tif 000010
2008050413.tif 000011